(57)【要約】【課題】、積み重ねた冊子を冊子セット部にセットして、冊子印刷装置には一定の向きで供給することが可能な冊子供給装置を提供する。【解決手段】冊子供給装置２１は冊子セット部２２と、検知手段２３と、冊子抜き取り手段２４と、を備えている。冊子セット部２２は印字や印刷を行う冊子２５を互い違いに積まれたままの向きでセットする部分である。検知手段２３は前記冊子セット部２２にセットされた冊子２５の先頭位置にある冊子２５ａの向きを検知する手段である。冊子抜き取り手段２４は前記先頭位置にある冊子２５ａを抜き取り、更に検知手段２３によって所望の向きと逆向きと検知された場合には冊子２５ａを回転して、冊子２５ａを所望する向きに直した後に下流に位置する冊子用印刷装置２７の前段の冊子開き部２６に矢印２９で示す方向に移動して供給する手段である。【選択図】図５
2015077757.tif 000002
【特許請求の範囲】
【請求項１】
冊子に印字もしくは印刷、又は印字及び印刷を行う冊子用印刷装置に冊子を供給するための冊子供給装置であって、
冊子セット部と、検知手段と、冊子抜き取り手段と、を備えており、
冊子セット部は冊子をセットする部分で、
検知手段は前記冊子セット部にセットされた冊子の先頭位置にある冊子の向きを検知する手段であって、
冊子抜き取り手段は前記先頭位置にある冊子を抜き取り、更に検知手段によって所望の向きに対し逆向きと検知された冊子を回転して冊子を所望する向きに直した後に、下流に位置する冊子用印刷装置に供給することを特徴とする冊子供給装置。
【請求項２】
前記検知手段は、冊子の開く側の両端の丸みのある角部を検知することを特徴とする請求項１に記載の冊子供給装置。
【請求項３】
前記冊子抜き取り手段は、回転可能な吸盤を備えたことを特徴とする請求項１または２に記載の冊子供給装置。
【発明の詳細な説明】
【技術分野】
【０００１】
本発明は、通帳やパスポートなどの冊子を印刷機や発行機に供給する冊子フィーダー装置に関するものである。本発明は特に、銀行預金通帳、パスポート等の冊子に印字や印刷を行う冊子用印刷装置に冊子を供給するための冊子供給装置に関する。
【背景技術】
【０００２】
銀行預金通帳やパスポート等の冊子は、長期間繰り返し使用するものであり、また容易に偽造することができないものであることが必要とされる。このためこれらの冊子は、本文、表紙とも特別に抄造された、丈夫な厚手の紙を使用して、しっかりと製本された冊子である。
【０００３】
これらの冊子は、頁を開いて表紙の裏面や本文に印字や印刷を行う必要がある。図１は冊子の表紙の裏面や本文に印字や印刷をする場合の工程例を示す図である。冊子供給装置１の冊子セット部２にセットされた印字や印刷前の冊子３から１冊の冊子４が例えば矢印５ａの方向に回転する搬送ローラー５によって冊子開き部６に送られる。冊子開き部６で所定の頁が開かれた後、印刷部７に送られ印字や印刷が行われる。符号８は冊子３を矢印８ａの方向に押し込む加圧板である。
【０００４】
図２（ａ）は前記冊子４の側面断面を示し、図２（ｂ）は印字や印刷前の冊子３を示す。冊子４は冊子製造時の折り加工の影響で、冊子の背側が冊子の開く側よりもわずかに厚くなっている。このため冊子製造時においては、冊子４を積み上げた場合に冊子が倒れやすいとか、箱詰めに際して収納しにくいといった不便がある。この不便を解消するために、例えば結束バンド９で冊子の開く側と冊子の背側を一冊または複数冊で互い違いにして結束される。冊子は通常はこのような結束状態のまま工場出荷され、発行装置まで運ばれてくる。
【０００５】
従来は、上記のように互い違いに結束されている冊子を図１に示す冊子セット部２にセットする場合には、オペレータによって手動で冊子の向きを揃えていた。そのためオペレータの負担が大きく、また向きが揃っていない冊子が極少ないが発生し搬送エラーの原因となっていた。
【０００６】
図３は従来の冊子供給装置で冊子数を多くセットした場合に搬送エラーが発生することを示す模式図である。冊子の背の部分が開く部分よりもわずかに厚くなっているため、図３に示すように冊子４が傾いてしまうため搬送ローラー５への加圧が不十分になってしまう。このため搬送ローラー５は十分な摩擦を冊子４に伝えることが出来なくなり、矢印４ａで示す方向への冊子搬送に失敗する。結果として冊子開き部６に送る際の搬送エラー（ジャミングと呼ばれる）となり、作業効率を低下させる原因となっていた。
このような搬送エラーの危険があるために基本的に大容量の冊子セット部を設計することが難しく、また、オペレータが容量に対して少量の冊子だけセットして運用することもあった。このように、多数の冊子をセットすることが難しいことも、オペレータの負荷作業が大きくなる原因であった。
【先行技術文献】
【特許文献】
【０００７】
【特許文献１】特開２０１１−２２４８２０号公報
【発明の概要】
【発明が解決しようとする課題】
【０００８】
そこで本発明は上記問題に鑑みて、積み重ねた冊子を冊子セット部にセットして、冊子印刷装置には一定の向きで供給することが可能な冊子供給装置を提供することを課題とする。
【課題を解決するための手段】
【０００９】
そこで本発明の請求項１に記載の発明は、
冊子に印字もしくは印刷、又は印字及び印刷を行う冊子用印刷装置に冊子を供給するための冊子供給装置であって、
冊子セット部と、検知手段と、冊子抜き取り手段と、を備えており、
冊子セット部は冊子をセットする部分で、
検知手段は前記冊子セット部にセットされた冊子の先頭位置にある冊子の向きを検知する手段であって、
冊子抜き取り手段は前記先頭位置にある冊子を抜き取り、更に検知手段によって所望の向きに対し逆向きと検知された冊子を回転して冊子を所望する向きに直した後に、下流に位置する冊子用印刷装置に供給することを特徴とする冊子供給装置である。
【００１０】
本発明の請求項２に記載の発明は、
前記検知手段は、冊子の開く側の両端の丸みのある角部を検知することを特徴とする請求項１に記載の冊子供給装置である。
【００１１】
本発明の請求項３に記載の発明は、
前記冊子抜き取り手段は、回転可能な吸盤を備えたことを特徴とする請求項１または２に記載の冊子供給装置である。
【発明の効果】
【００１２】
請求項１に記載の冊子供給装置によれば、印字や印刷を行う冊子を互い違いに積まれたままの向きで冊子セット部にセットすることが出来、検知手段によって冊子セット部にセットされた冊子の先頭位置にある冊子の向きを検知し、所望する向きではない冊子を冊子抜き取り手段によって回転して、冊子を所望する向きに直した後に下流に位置する冊子用印刷装置の前段の冊子開き部に供給することが出来る。その結果、従来のように冊子セット部に冊子をセットする場合に、全ての冊子を同じ向きに変えてセットする必要がないため、作業者の負荷を軽減することが出来る。
【００１３】
請求項２に記載の冊子供給装置によれば、検知手段は、冊子の開く側の両端の丸みのある角部を検知するため、冊子の背側の両端の丸みのない角部と確実に判別することが出来る。
【００１４】
請求項３に記載の冊子供給装置によれば、冊子抜き取り手段は、吸盤を備えた冊子抜き取り装置であるため、冊子セット部にセットされた冊子の先頭位置にある冊子を容易に抜き取ることができ、冊子用印刷装置に冊子を供給することが出来る。更に吸盤を回転させる機構を備えているために、所望する向きではない冊子を回転させた後に冊子用印刷装置に冊子を供給することが出来る。
【図面の簡単な説明】
【００１５】
【図１】従来の冊子の表紙の裏面や本文に印字や印刷をする場合の工程例を示す図。
【図２】（ａ）は冊子の側面断面を示す図。（ｂ）は印字や印刷前の冊子を示す図。
【図３】従来の冊子供給装置で冊子数を多くセットした場合に搬送エラーが発生することを示す模式図。
【図４】本発明に係る冊子供給装置に適用される冊子でパスポートを例示する図。
【図５】本発明の冊子供給装置の概略構成を示す図。
【図６】本発明に係る検知手段を説明するための図。
【図７】本発明に係る冊子抜き取り手段の動作を示す図。（ａ）は冊子抜き取り手段２４がまず矢印３１の方向に移動することを示す図。（ｂ）は冊子２５ａを抜き取った後に矢印３３の方向に移動することを示す図。（ｃ）は更に矢印３３の方向に移動して冊子開き部２６に冊子２５ａを供給することを示す図。（ｄ）は所望の向きと逆向きと検知された冊子２５ａを１８０°回転する事を示す図。
【発明を実施するための形態】
【００１６】
発明を実施するための形態を図を用いて説明する。
【００１７】
図４は本発明に係る冊子供給装置に適用される冊子でパスポートを例示する図である。冊子１０は、冊子が開く側１１の両端は丸みがある角部１２となっている。
【００１８】
図５は本発明の冊子供給装置の概略構成を示す図である。冊子供給装置２１は冊子セット部２２と、検知手段２３と、冊子抜き取り手段２４と、を備えている。
冊子セット部２２は印字や印刷を行う冊子２５を互い違いに積まれたままの向きでセットする部分である。
検知手段２３は前記冊子セット部２２にセットされた冊子２５の先頭位置にある冊子２５ａの向きを検知する手段である。
冊子抜き取り手段２４は前記先頭位置にある冊子２５ａを抜き取り、更に検知手段２３によって所望の向きと逆向きと検知された場合には冊子２５ａを回転して、冊子２５ａを所望する向きに直した後に下流に位置する冊子用印刷装置２７の前段の冊子開き部２６に矢印２９で示す方向に移動して供給する手段である。尚、符号２８は冊子２５を矢印２８ａの方向に押し込む加圧板で左右に移動制御可能である。また先頭位置にある冊子２５ａはストッパー３０によって両端が押さえられている。
【００１９】
検知手段２３について詳しく説明する。図６は検知手段２３を説明するための図で図６（ａ）は所望の向きの冊子の場合で、図６（ｂ）は所望の向きではない冊子の場合である。図６（ａ）に示すように検知手段２３は冊子が開く側１１の両端の丸みがある角部１２を検出するように配置される。冊子が所望の向きの場合は図６（ａ）に示すように投光器２３ａによって丸みがある角部１２に投光し、丸みがある角部１２によって反射光が矢印３４の方向に反射して受光器２３ｂで受光することが出来る。一方、冊子が所望の向きでない場合は図６（ｂ）に示すように投光器２３ａによって投光された光は、丸みのない角部１２ａであるために反射光は受光器２３ｂの方向に反射しないため、受光することが出来ない。このように丸みのある角部１２を検出することによって冊子が所望の向きであることを判別することが出来る。検知手段２３にはレーザー光を用いた投受光器や半導体投受光器を用いることが出来る。
実施に際してもし冊子の角部に丸みが無い場合は、冊子の表紙にある印刷をＣＣＤで読取って冊子の向きを検知する手段をとることが可能である。
【００２０】
冊子抜き取り手段２４について詳しく説明する。図７は冊子抜き取り手段の動作を示す図である。冊子抜き取り手段２４は例えば吸盤であって、冊子セット部２２にセットされた冊子２５の先頭位置にある冊子２５ａを抜き取るために、まず矢印３１の方向に移動し（図７（ａ））、次に冊子２５ａを抜き取った後に矢印３２の方向に移動する（図７（ｂ））。更に矢印３３の方向に移動して冊子開き部２６に冊子２５ａを供給する（図７（ｃ））。この場合前記検知手段２３によって所望の向きと逆向きと判別された場合には、吸盤を回転させる機構によって冊子２５ａを１８０°回転して（図７（ｄ））、冊子２５ａを所望する向きに直した後に冊子開き部２６に供給する。尚、吸盤２４の移動や回転は従来の機械制御によって行うことが出来る。
【００２１】
以上のように本発明の冊子供給装置によれば、冊子セット部に冊子を互い違いに積まれたままの向きでセットすることが出来、従来の人手によって向きを揃えてセットする手間を省くことが出来る。また同時に大容量の冊子積載が可能になる。
【符号の説明】
【００２２】
１・・・冊子供給装置
２・・・冊子セット部
３・・・印字や印刷前の冊子
４・・・冊子
４ａ・・・冊子の搬送方向
５・・・搬送ローラー
５ａ・・・搬送ローラーの回転する方向
６・・・冊子開き部
７・・・プリンター部
８・・・加圧板
９・・・結束バンド
１０・・・冊子
１１・・・冊子が開く側
１２・・・冊子が開く側の両端の丸みがある角部
１２ａ・・・冊子の背側の両端の角部
２１・・・冊子供給装置
２２・・・冊子セット部
２３・・・検知手段
２３ａ・・・投光器
２３ｂ・・・受光器
２４・・・冊子抜き取り手段
２５・・・印字や印刷を行う冊子
２５ａ・・・先頭位置にある冊子
２６・・・冊子開き部
２７・・・冊子用印刷装置
２８・・・加圧板
２９・・・冊子を移動する方向
３０・・・ストッパー
３１、３２、３３・・・冊子抜き取り手段の移動方向
３４・・・反射光が反射する方向
【図１】
2015077757.tif 000003
【図２】
2015077757.tif 000004
【図３】
2015077757.tif 000005
【図４】
2015077757.tif 000006
【図５】
2015077757.tif 000007
【図６】
2015077757.tif 000008
【図７】
2015077757.tif 000009